(57)【要約】      （修正有）【課題】フィルムを巻き付ける時に、フィルムの開始端が緩衝層に粘着されることで固定して巻き付けを便利にさせ、かつ巻き付け過程においてその後のフィルムが開始端を押し出す時に落ち込んで切欠きを形成することができ、それによって開始端がフランジを形成してその後のフィルムに折り目を発生させず、フィルムの完成品率を保証し、巻き付けを便利にする巻芯管を提供する。【解決手段】管体４を含む巻芯管であって、管体の表面には製品を巻き付けるための緩衝層３が緊密に貼り合わせて嵌設され、製品が緩衝層に巻き付けられる時に、緩衝層に、落ち込んで製品の開始端を放置するための切欠き５を形成し、緩衝層の外表面が粘着性材料からなることを特徴とする。【選択図】図２
0003199846.tif 000002
【実用新案登録請求の範囲】
【請求項１】
管体を含む巻芯管であって、前記管体表面には製品を巻き付けるための緩衝層が緊密に貼り合わせて嵌設され、製品が緩衝層に巻き付けられた時に、緩衝層に落ち込んで製品の開始端を放置するための切欠きを形成し、前記緩衝層の外表面は粘着性材料からなることを特徴とする巻芯管。
【請求項２】
前記緩衝層はＴＰＵ材料からなることを特徴とする請求項１に記載の巻芯管。
【請求項３】
前記管体の材質は、紙、プラスチックスまたは金属材料からなることを特徴とする請求項１または２に記載の巻芯管。
【請求項４】
前記緩衝層は厚さが１ｍｍ乃至５ｍｍであることを特徴とする請求項１または２に記載の巻芯管。
【請求項５】
前記緩衝層表面にはさら一層の緩衝層粘着性を保護するための保護フィルムが粘着されることを特徴とする請求項１または２に記載の巻芯管。
【請求項６】
前記保護フィルムにはアンカバーしやすい裂け目を開設することを特徴とする請求項５に記載の巻芯管。
【考案の詳細な説明】
【技術分野】
【０００１】
本案はパイプに関し、具体的には、巻芯管に関する。
【背景技術】
【０００２】
巻芯管は各種フィルム、テープまたはペーパーなどの帯状製品を巻き付けるための部材であって、製品の収納および輸送を便利にさせるが、巻芯管の材料が異なり、巻き付けようとする製品の違いに応じて、紙巻芯管、プラスチックス巻芯管および金属巻芯管等を含み、巻芯管はそれが軽く、表面が滑らかで、耐摩耗で、変形しにくいなどのメリットなので広く用いられる。
【０００３】
現在、社会に広く用いられる巻芯管は、いずれも表面が平坦かつ滑らかな空心円管であるが、使用過程においていつも以下の問題を発生し、すなわち、１、フィルムを巻き付ける時に、フィルムの開始端が巻芯管の表面に貼り合わせて固定させる必要があるが、フィルムおよび巻芯管の表面が滑らかであるので、フィルムを固定して巻き付けることが困難であり、既存技術においてこの問題について、巻芯管の表面に両面テープを接着することで解決し、フィルムを巻き付ける必要がある時に、両面テープのカバーレイをアンカバーし、その後にフィルムの開始端を両面テープに接着させ固定することで巻き付け、従って、巻き付け過程において両面テープそのものの厚さによりその後のフィルムに圧痕を発生させ、フィルムの使用を影響し、２、フィルムが巻芯管に巻き付けられる時に、その後の巻付過程において、フィルムの開始端が常に巻芯管の表面に隆起し、すなわち、フィルムが巻芯管の表面に１本のフランジを形成し、図１に示すように、このフランジはコイル材の次のサークルのコイル材に折り目を発生させ、コイル材が全部該巻芯管に巻き付けられた時に、初めのいくつかのサークルの巻き付けられたコイル材には明らかな折り目を有し、ある高精度 、高性能のフィルム、例えば、ＩＴＯフィルム、ディフューザー、陽極銅フィルムＵＶＡブラスチックＴ光学フィルムに対して、これらの類型のフィルムはその表面の平坦度および円滑度に対する要求が非常に高く、巻芯管を用いて巻き付ける時に、フランジによりその初めのいくつかのサークルが折り目を発生して使用することができず、このようにこれらの高精度、高性能フィルムを多く浪費し、かつこれらのフィルムの製造コストが高く、このように折り目なので浪費すると、生産コストを増加させ、社会の発展にとっては不利である。
【０００４】
しかし、既存技術において、該問題を改良するためにある方案を提出し、例えば、特許番号「ＣＮ２０１９６１９０３Ｕ」の中国特許のように、巻芯管を紹介し、前記管体の外表面には１つの凹溝が設定され、前記凹溝が竪直面を有し、その底面と前記管体の外表面とが円滑に接続する。このようにフィルムの開始箇所を凹溝内に設定すると折り目を発生せず、この方案がある程度の効果を有するが、フィルムの開始箇所を凹溝内に設定し、その後に巻き上がることが非常に困難であり、それを凹溝内に固定することが困難であり、かつ両面テープを使用して固定すると、必ずその後のフィルムに折り目を発生させ、かつ凹溝内に設定しても、凹溝の溝壁端口箇所がフィルムに一定の折り目を発生させ、折り目除去の効果が明らかではなく、かつこのような高精度、高性能のパイプを巻き付けるために製造プロセスが非常に複雑であり、その平坦度および円滑度に対する要求が非常に高く、パイプに凹溝をさらに開設しようとすると、該巻芯管の生産コストを大いに増加させるが、発揮した効果が非常に一般的であり、そのためにある方案を提出して前記問題を解決する必要がある。  
【考案の概要】
【考案が解決しようとする課題】
【０００５】
既存技術の不足を解決するために、本実用新案はフィルムを巻き付けた時に折り目を発生し難く、かつ固定して巻き付けることが容易である巻芯管を提供することを目的とする。
【課題を解決するための手段】
【０００６】
前記目的を実現するために、本実用新案は以下の技術方案を提出する。すなわち、管体を含む巻芯管であって、前記管体表面には製品を巻き付けるための緩衝層を緊密に貼り合わせて嵌設し、製品が緩衝層に巻き付けられる時に、緩衝層に落ち込んで製品の開始端を放置するための切欠きを形成し、前記緩衝層の外表面は粘着性材料からなる。
【０００７】
前記緩衝層はＴＰＵ材料からなることが好ましい。
前記管体の材質は紙、プラスチックスまたは金属材料からなることが好ましい。
前記緩衝層は厚さが１ｍｍ乃至５ｍｍであることが好ましい。
前記緩衝層は表面が緩衝層の粘着性を保護するための保護フィルムが粘着されていることが好ましい。
前記保護フィルムにはアンカバーしやすい裂け目を開設していることが好ましい。
【考案の効果】
【０００８】
既存技術と比べて、本実用新案は以下のメリットを有する。すなわち、巻芯管本体の外表面に一層の緩衝層を嵌設することで、製品が緩衝層に巻き付けられた時に、緩衝層には落ち込んで製品の開始端を放置するための切欠きを形成し、このようなフィルムの開始端が緩衝層内に落ち込むことで、その後のフィルムが開始端を通過した時に開始端のフランジに折り目を発生せず、それによってフィルムの性能が影響を受けずことを保証し、フィルムの完成品使用率を向上させ、かつ緩衝層が粘着性を有する材料からなり、フィルムが緩衝層に巻き付けられる必要がある時に、緩衝層の粘着性により緩衝層に粘着することで、フィルムを固定して巻き付けすることが便利になり、両面テープを使用して固定粘着を行う必要がなく、巻き付け効率を向上させ、生産コストを節約する。
【図面の簡単な説明】
【０００９】
【図１】図１は既存技術における巻芯管の使用状態を示す模示図である。
【図２】図２は本実用新案の巻芯管の使用状態を示す模示図である。
【図３】図３は本実用新案の巻芯管の構成を示す模示図である。  図において：１、フィルム、２、折り目、３、緩衝層、４、管体、５、切欠き。
【考案を実施するための形態】
【００１０】
図１乃至図３を参照しながら本実用新案の巻芯管の具体的な実施例をさらに詳しく説明する。
【００１１】
図２に示すように、巻芯管の管体４の外表面に一層の緩衝層３が嵌設され、緩衝層３が弾性材料で、かつ粘着性を有した材料からなり、ＴＰＵ材料からなることがより好ましく、緩衝層３が管体４に貼り合わせて粘性力により管体４に固定されるが、ＴＰＵはそのもの粘着性能力を有すると同時に、一定の弾性回復能力を有し、フィルムがＴＰＵ材料の表面に当接すると切欠き５を形成して落ち込むことができ、かつこの材料からなる緩衝層３は表面が滑らかで、フィルム１を破損させ難く、かつ緩衝層３の内表面が管体４と負圧真空を形成して緩衝層３を管体４に緊密に貼り合わせ、スライドし難く、ＴＰＵからなる緩衝層３は必要に応じて異なる硬度を選択することができ、フィルム１の巻き付け要求に適応し、ただし、緩衝層３の厚さが１ｍｍ乃至５ｍｍに設定させ、それは緩衝層３が十分の緩衝幅を有することを保証してフィルム１が切欠き５箇所に形成した折り目２ができるだけ比較的小さく影響し、かつコスト節約の目的に達し、緩衝層３の厚さが厚すぎると、すなわち、厚さが５ｍｍより大きい時に、製造コストが高く、社会の発展に不利であるが、緩衝層３の厚さが薄すぎると、すなわち、厚さが１ｍｍより小さい時に、折り目の影響除去の効果に達せず、緩衝層３の厚さを３ｍｍに設定することが最も好ましく、それは折り目２による影響を低減させると同時に、最もコストを節約し、管体４が紙材料、プラスチックス材料または金属材料からなる空心円柱体である。
【００１２】
図３に示すように、管体４に一層の緩衝層３が嵌設され、この時に緩衝層３の表面が滑らかで圧痕なく、フィルム１が管体４に巻き付けられる時に、フィルム１が層ずつに緩衝層３の表面に巻き付けられ、その後のフィルム１は巻き付けられて押し出され、第１の層フィルム１の開始端がストレスを受けて圧迫され、このように第１の層フィルム１の開始端は緩衝層３を圧縮して緩衝層３の表面に落ち込みを生じて切欠き５を形成することで、フィルム１の開始端が切欠き５へ伸び、すると、フィルム１開始端が緩衝層３全体に相対して緩衝層３内に引っ込め、切欠き５箇所だけに緩衝層３から小さい一部を伸び、このように、その後のフィルム１が緩衝層５に巻き付けられた時に、フィルム１開始端の影響を受けて形成した折り目２が非常に小さくなる。
0003199846.tif 000003
【００１３】
前記表は該緩衝層３の巻芯管を使用してフィルム１材料を巻き付ける時に浪費したフィルム１材料のデータ対比であり、フィルム１材料の使用率を大いに保証し、フィルム１が折り目２を発生し難く、できるだけ保護フィルム１材料が損傷を受けないように保護し、かつ操作が便利で、管体４を製造する時にそのほかのプロセスを増加し、管体４の製造品質が影響を受けないことを保証すると明らかである。
【００１４】
巻き付け過程において、緩衝層３そのものは粘着性を有するので、両面テープをさらに利用してフィルム１を固定し、その後に巻き付ける必要がなく、フィルム１の開始端を緩衝層３のいずれかの箇所の表面に貼り合わせるだけで、フィルム１が緩衝層３に粘着して固定されてなり、かつ緩衝層３がＴＰＵ材料からなる時に、ＴＰＵ材料の表面が比較的滑らかで、フィルム１に粘着の痕跡を留めず、それによってフィルム１が破損を発生しないと保証することができ、フィルム１を固定して巻き付ける目的を達し、巻き付け效率を向上させ、フィルム１の完成品使用率を保証し、当然ながら、緩衝層３の表面にさらに一層の保護フィルム（不図示）がさらに粘着されることがより好ましく、それが緩衝層３そのものは粘着性を有し、ある微小の不純物を粘着することが容易になるからであり、緩衝層３の表面には一層の保護フィルムが粘着され、保護フィルムがＰＵ材料からなり、このように巻芯管をフィルム１を使用して巻き付けない時に、保護フィルムが緩衝層３の表面に貼り合わせて緩衝層３を保護し、緩衝層３の表面を清浄に保持して不純物を吸着せず、フィルム１を巻き付ける必要がある時に、保護フィルムをアンカバーすればよい。当然ながら、これに基づいて、保護フィルムの一側に微小の開口を設置して裂け目を形成し、保護フィルムを引き裂くことが便利であり、それによってより便利にフィルム１を巻き付け、以上により、フィルム１を巻き付ける時に折り目２を発生し難く、固定して巻き付けを行うことが便利であり、巻き付け效率を向上させ、かつフィルム１を破損しないと保証し、フィルム１の使用率を向上させる。
【００１５】
以上、本実用新案の最適な実施形態だけであり、本実用新案の保護範囲は前記実施例に限定されず、本実用新案の技術思想に属した技術方案はいずれも本実用新案の保護範囲に属する。当業者は、特許請求の主旨や範囲において、本実施形態の各種手直し・改良あるいは同等物の設計を行うことが可能である。これらの手直し・改良あるいは同等物は、本実施形態の保護範囲内に含まれるものである。 
【図１】
0003199846.tif 000004
【図２】
0003199846.tif 000005
【図３】
0003199846.tif 000006